(57)【要約】【課題】所定のエリア内の管理対象の現在の状態を活用して、所定のエリアの省エネをサポートすることができる管理装置を提供する。【解決手段】管理装置は、所定のエリアに配置された少なくとも一つの管理対象の状態を管理する。管理装置は、受信部と、記憶部と、制御部と、送信部とを備える。受信部は、管理対象の現在の状態を示す第一情報を受信する。記憶部は、管理対象に予め付与された名称及び前記エリア内における位置を示す第二情報を記憶する。制御部は、第一情報と第二情報とに基づき、管理対象の管理情報を示す通知画像を生成する。送信部は、エリア内に位置する端末に対し、通知画像と、通知画像を表示させる指令とを送信する。管理情報は、前記管理対象の現在の状態、名称及び位置を示す。【選択図】図２
2019036884.tif 000002
【特許請求の範囲】
【請求項１】
所定のエリアに配置された少なくとも一つの管理対象の状態を管理する管理装置であって、
前記管理対象の現在の状態を示す第一情報を受信する受信部と、
前記管理対象に予め付与された名称及び前記エリア内における位置を示す第二情報を記憶する記憶部と、
前記第一情報と前記第二情報とに基づき、前記管理対象の管理情報を示す通知画像を生成する制御部と、
前記エリア内に位置する端末に対し、前記通知画像と、前記通知画像を表示させる指令とを送信する送信部と
を備え、
前記管理情報は、前記管理対象の現在の状態、名称及び位置を示す、管理装置。
【請求項２】
前記第一情報は、前記管理対象が起動しているか否かを示す情報と、前記管理対象が施錠されているか否かを示す情報とのうちの少なくとも一方を示す、請求項１に記載の管理装置。
【請求項３】
前記通知画像は、前記エリアのマップを示すマップ画像、及び／又は前記管理対象の前記管理情報が前記管理対象ごとに一覧表記されたリスト画像を含み、
前記マップ画像は、前記エリア内における前記管理対象の位置に対応する前記マップ内の位置に、前記管理対象の現在の状態、及び名称を示す画像を含む、請求項１又は２に記載の管理装置。
【請求項４】
前記管理情報は、前記管理対象の理想状態を示す情報を更に含み、
前記理想状態は、前記エリアを利用するユーザーが前記エリアから全員退室した際に前記管理対象が示すべき状態であり、予め指定されている、請求項１〜３の何れか一項に記載の管理装置。
【請求項５】
前記第二情報を入力するための入力部を更に備える、請求項１〜４の何れか一項に記載の管理装置。
【請求項６】
前記記憶部は、前記エリアを利用するユーザーを示すユーザー情報と、前記ユーザーが使用する前記端末を示す端末情報とを更に記憶し、
前記受信部は、前記ユーザーの前記エリアへの入室及び前記エリアからの退室を示す入退室情報を更に受信し、
前記制御部は、前記入退室情報に基づいて前記エリア内に在室している在室者の人数を算出し、所定の時刻以降に、前記在室者の人数が予め設定された人数以下であるか否かを判定し、
前記制御部は、前記在室者の人数が予め設定された人数以下であると判定すると、前記入退室情報と、前記ユーザー情報とに基づいて、前記ユーザーのうちから、前記エリア内に在室している第一在室者を特定するとともに、前記端末情報に基づいて、前記第一在室者が使用する前記端末を特定し、
前記送信部は、前記制御部が特定した前記端末に対し、前記通知画像と、前記通知画像を表示させる指令とを送信する、請求項１〜５の何れか一項に記載の管理装置。
【請求項７】
前記記憶部は、前記エリア内の前記ユーザーの座席の位置を示す座席情報を更に記憶し、
前記制御部は、前記管理対象の位置を示す情報と、前記座席情報とに基づいて、前記管理対象ごとに、前記第一在室者のうちから、前記管理対象に対して座席が最も近い第二在室者を更に特定し、
前記送信部は、前記第二在室者の前記端末に対し、対応する前記管理対象の状態を所定の状態に遷移させることを促すメッセージ画像と、前記メッセージ画像を表示させる指令とを更に送信する、請求項６に記載の管理装置。
【請求項８】
前記管理対象は、前記エリア内の所定の区画に配置された第一管理対象を含み、
前記端末は、前記ユーザーが携帯する携帯端末を含み、
前記受信部は、前記携帯端末から、前記エリア内における前記携帯端末の現在位置を示す位置情報を更に受信し、
前記制御部は、前記位置情報を時系列に沿って前記記憶部に記憶させ、
前記制御部は、前記第一在室者を特定すると、前記記憶部が記憶する前記第一在室者の前記位置情報に基づいて、前記第一在室者が前記所定の区画に進入した頻度を更に算出し、
前記制御部は、前記第一在室者のうち、前記区画に進入した頻度が所定の条件を満たす第三在室者を更に特定し、
前記送信部は、前記第三在室者の前記端末に対し、前記第一管理対象の状態を所定の状態に遷移させることを促すメッセージ画像と、前記メッセージ画像を表示させる指令とを更に送信する、請求項６又は７に記載の管理装置。
【請求項９】
前記第三在室者は、前記第一在室者、のうち前記区画に進入した前記頻度が所定の値以上となる者であるか、又は前記第一在室者のうち、前記区画に進入した前記頻度が最大となる者である、請求項８に記載の管理装置。
【請求項１０】
前記管理対象は、前記エリア内の所定の区画に配置された第一管理対象を含み、
前記端末は、前記ユーザーが携帯する携帯端末を含み、
前記受信部は、前記携帯端末から、前記エリア内における前記携帯端末の現在位置を示す位置情報を更に受信し、
前記制御部は、前記位置情報を時系列に沿って前記記憶部に記憶させるとともに、前記位置情報を受信した時刻を示す時刻情報を前記位置情報に関連づけて前記記憶部に記憶させ、
前記制御部は、前記第一在室者を特定すると、前記第一在室者の前記位置情報と前記時刻情報とに基づいて、前記第一在室者が前記区画に滞在した時間を更に算出し、
前記制御部は、前記第一在室者のうち、前記区画に滞在した時間が所定の条件を満たす第四在室者を更に特定し、
前記送信部は、前記第四在室者の前記端末に対し、前記第一管理対象の状態を所定の状態に遷移させることを促すメッセージ画像と、前記メッセージ画像を表示させる指令とを更に送信する、請求項６〜９の何れか一項に記載の管理装置。
【請求項１１】
前記第四在室者は、前記区画に滞在した時間が所定の値以上となる前記第一在室者であるか、又は前記第一在室者のうち、前記区画に滞在した時間が最大の在室者である、請求項１０に記載の管理装置。
【請求項１２】
前記管理対象は、前記エリアから最後に退室する最終退室者によってのみ状態が制御されるべき第二管理対象を含み、
前記制御部は、前記第一在室者の人数を算出し、所定の時刻以降に、前記第一在室者の人数が１人であるか否かを判定し、
前記制御部は、前記第一在室者の人数が１人であると判定すると、前記入退室情報と、前記ユーザー情報とに基づいて、前記第一在室者のうちから、前記エリア内に在室している最終退室者を特定するとともに、前記端末情報に基づいて、前記最終退室者が使用する前記端末を特定し、
前記送信部は、前記最終退室者の前記端末に対し、前記第二管理対象の電源をオフにするように促すメッセージ画像と、前記メッセージ画像を表示させる指令とを更に送信する、請求項６〜１１の何れか一項に記載の管理装置。
【請求項１３】
前記管理対象は、前記管理装置が状態を制御できる第三管理対象を含み、
前記端末は、前記エリアを利用するユーザーが携帯する携帯端末を含み、
前記受信部は、前記携帯端末から、前記エリア内における前記携帯端末の現在位置を示す位置情報を更に受信し、
前記制御部は、前記第三管理対象の起動に要する時間を示す起動情報と、前記第三管理対象の待機電力を示す電力情報とのうちの少なくとも一方に基づき、前記第三管理対象のうちから、状態制御を実行する対象である第四管理対象を特定し、
前記制御部は、前記第四管理対象の位置を示す情報と、前記携帯端末の前記現在位置を示す前記位置情報と、前記第三管理対象の前記第一情報とに基づき、前記第四管理対象の状態の制御が必要であるか否かを判定し、
前記制御部が、前記第四管理対象の状態の制御が必要であると判定すると、前記送信部は、前記第四管理対象に対し、前記第四管理対象の状態を所定の状態に遷移させる指令を送信する、請求項１〜１２の何れか一項に記載の管理装置。
【請求項１４】
前記管理対象は、前記管理装置が状態を制御できる第三管理対象を含み、
前記記憶部は、前記第三管理対象を起動状態にする時刻又は前記第三管理対象を非起動状態にする時刻を示す起動管理時刻を更に記憶し、
前記制御部は、現在時刻が前記起動管理時刻であるか否かを判定し、
前記制御部は、前記現在時刻が前記起動管理時刻であると判定すると、前記第三管理対象の前記第一情報に基づき、前記第三管理対象を起動状態にする必要であるか否か又は前記第三管理対象を非起動状態にする必要があるか否かを判定し、
前記送信部は、前記第三管理対象を起動状態にする必要である又は前記第三管理対象を非起動状態にする必要があると判定すると、前記第三管理対象に対し、前記第三管理対象を起動状態にする指令又は非起動状態にする指令を送信する、請求項１〜１３の何れか一項に記載の管理装置。
【請求項１５】
前記管理対象は、前記管理装置が状態を制御できる第三管理対象を含み、
前記記憶部は、前記エリアを利用するユーザーのうちから予め選出した特定ユーザーを示す特定ユーザー情報を記憶し、
前記受信部は、前記ユーザーの前記エリア内への入室を示す入室情報を受信し、
前記制御部は、前記入室情報と、前記特定ユーザー情報とに基づき、前記特定ユーザーが前記エリア内に入室したか否かを判定し、
前記制御部は、前記特定ユーザーが前記エリア内に入室したと判定すると、前記第三管理対象の前記第一情報に基づき、前記第三管理対象の起動が必要であるか否かを判定し、
前記送信部は、前記制御部が前記第三管理対象の起動が必要であると判定すると、前記第三管理対象に対し、前記第三管理対象を起動させる指令を送信する、請求項１〜１４の何れか一項に記載の管理装置。
【発明の詳細な説明】
【技術分野】
【０００１】
本発明は、管理装置に関する。
【背景技術】
【０００２】
近年、オフィス内の機器のＩｏＴ化が進んでおり、端末機器を用いてオフィス内の機器の起動状態を把握して、省エネを促す技術の開発が行われている。例えば、特許文献１には、印刷装置の状態に関する情報と、所定のエリア（例えば、オフィス）内の在室者の人数に関する情報とに基づいて、ユーザーが所定のエリア内の印刷装置の動作設定を変更する印刷装置電源システムが記載されている。
【先行技術文献】
【特許文献】
【０００３】
【特許文献１】特開２００８−１２３３５２号公報
【発明の概要】
【発明が解決しようとする課題】
【０００４】
しかしながら、特許文献１に開示されている技術は、特定の機器のみを対象としているため、エリア全体における省エネ効果は限定的となる。
【０００５】
本発明は上記課題に鑑みてなされたものであり、その目的は、所定のエリア内の管理対象の現在の状態を示す情報を活用して、所定のエリアの省エネをサポートすることができる管理装置を提供することにある。
【課題を解決するための手段】
【０００６】
本発明の管理装置は、所定のエリアに配置された少なくとも一つの管理対象の状態を管理する。管理装置は、受信部と、記憶部と、制御部と、送信部とを備える。前記受信部は、前記管理対象の現在の状態を示す第一情報を受信する。前記記憶部は、前記管理対象に予め付与された名称及び前記エリア内における位置を示す第二情報を記憶する。前記制御部は、前記第一情報と前記第二情報とに基づき、前記管理対象の管理情報を示す通知画像を生成する。前記送信部は、前記エリア内に位置する端末に対し、前記通知画像と、前記通知画像を表示させる指令とを送信する。前記管理情報は、前記管理対象の現在の状態、名称及び位置を示す。
【発明の効果】
【０００７】
本発明の管理装置は、所定のエリア内の管理対象の現在の状態を示す情報を活用して、所定のエリアの省エネをサポートすることができる。
【図面の簡単な説明】
【０００８】
【図１】本発明の実施形態１に係る管理装置を含む管理システムの構成を示す図である。
【図２】本発明の実施形態１に係る管理装置の構成を示すブロック図である。
【図３】本発明の実施形態１に係るマップ画像を表示する画面の一例を示す図である。
【図４】本発明の実施形態１に係るリスト画像を表示する画面の一例を示す図である。
【図５】本発明の実施形態１に係る通知画像表示処理を示すフローチャートである。
【図６】本発明の実施形態２に係る第一在室者特定処理を示すフローチャートである。
【図７】本発明の実施形態３に係るマップ画像を表示する画面の一例を示す図である。
【図８】本発明の実施形態３に係るリスト画像を表示する画面の一例を示す図である。
【図９】本発明の実施形態３に係るリスト画像を表示する画面の一例を示す図である。
【図１０】本発明の実施形態３に係る第二在室者特定処理を示すフローチャートである。
【図１１】本発明の実施形態４に係る第三在室者の行動軌跡を示す図である。
【図１２】本発明の実施形態４に係る第三在室者特定処理を示すフローチャートである。
【図１３】本発明の実施形態５に係る第四在室者特定処理を示すフローチャートである。
【図１４】本発明の実施形態６に係るマップ画像を表示する画面の一例を示す図である。
【図１５】本発明の実施形態６に係る最終退室者特定処理を示すフローチャートである。
【図１６】本発明の実施形態７に係る最終退室候補者特定処理を示すフローチャートである。
【図１７】本発明の実施形態８に係る状態制御処理を示すフローチャートである。
【図１８】本発明の実施形態９に係る第一起動制御処理の一例を示すフローチャートである。
【図１９】本発明の実施形態１０に係る第二起動管理処理を示すフローチャートである。
【発明を実施するための形態】
【０００９】
以下、図面を参照して本発明の実施形態を説明する。但し、図中、同一又は相当部分については同一の参照符号を付して説明を繰り返さない。また、図面は、理解しやすくするために、それぞれの構成要素を主体に模式的に示している。
【００１０】
［実施形態１］
まず、図１を参照して、実施形態１に係る管理装置を含むシステムを説明する。図１は、実施形態１に係る管理装置を含む管理システムの構成を示す図である。図１に示すように、管理システム４は、管理対象１、端末２及び管理装置３を備える。
【００１１】
管理対象１は、管理装置３が管理する対象である。管理対象１は、例えば、空調機器６、照明機器８、プロジェクタ１０、扉１２及び窓１４である。管理対象１は、オフィスなどの所定のエリアに配置される。
【００１２】
空調機器６、照明機器８及びプロジェクタ１０は、例えば、ＬＡＮ（Ｌｏｃａｌ  Ａｒｅａ  Ｎｅｔｗｏｒｋ）、ＷＡＮ（Ｗｉｄｅ  Ａｒｅａ  Ｎｅｔｗｏｒｋ）又はインターネット回線のようなネットワークを介して、管理装置３と接続されている。空調機器６、照明機器８及びプロジェクタ１０は、ネットワークを介して、自身の現在の状態を示す情報を管理装置３へ送信する。現在の状態は、例えば、電源のオン／オフを示す。
【００１３】
扉１２には、扉１２の施錠状態を検知する検知デバイスが取り付けられている。検知デバイスは、例えば、ＬＡＮ、ＷＡＮ又はインターネット回線のようなネットワークを介して、管理装置３と接続される。検知デバイスは、ネットワークを介して、扉１２の施錠状態を示す情報を管理装置３へ送信する。窓１４にも、扉１２と同様に、検知デバイスが取り付けられる。なお、本実施形態では、扉１２及び窓１４に、施錠状態を検知する検知デバイスが取り付けられるが、開閉状態を検知する第一検知デバイスが取り付けられてもよい。
【００１４】
端末２は、例えば、パーソナルコンピューターなどの固定端末１６及びスマートフォンなどの携帯端末１８である。端末２は、所定のエリアに位置する。端末２は、画像を表示する表示部を備える。表示部は、例えば、液晶ディスプレー又は有機ＥＬディスプレー（Ｏｒｇａｎｉｃ  Ｅｌｅｃｔｒｏ  Ｌｕｍｉｎｅｓｃｅｎｃｅ  Ｄｉｓｐｌａｙ）である。端末２は、管理装置３から送信された画像を表示部に表示させる。
【００１５】
管理装置３は、所定のエリアに配置された少なくとも一つの管理対象１の状態を管理する。管理装置３は、例えば、サーバーである。
【００１６】
続いて、図１及び図２を参照して、実施形態１に係る管理装置３の構成を説明する。図２は、実施形態１に係る管理装置３の構成を示すブロック図である。
【００１７】
図２に示すように、実施形態１に係る管理装置３は、通信部２０、記憶部２２及び制御部２４を備える。
【００１８】
通信部２０は、管理対象１の現在の状態を示す第一情報を受信する。第一情報は、例えば、管理対象１が起動しているか否かを示す情報と、管理対象１が施錠されているか否かを示す情報とのうちの少なくとも一方を示す。通信部２０は、受信部の一例である。通信部２０は、例えば、ＬＡＮカードであり得る。通信部２０は、例えばＬＡＮ、ＷＡＮ又はインターネット回線のようなネットワークを介して、管理対象１と通信可能である。
【００１９】
記憶部２２は、管理対象１に予め付与された名称及び所定のエリア内における位置を示す第二情報を記憶する。記憶部２２は、例えば、ＨＤＤ（Ｈａｒｄ  Ｄｉｓｃ  Ｄｒｉｖｅ）、ＲＡＭ（Ｒａｎｄｏｍ  Ａｃｃｅｓｓ  Ｍｅｍｏｒｙ）及びＲＯＭ（Ｒａｎｄｏｍ  Ｏｎｌｙ  Ｍｅｍｏｒｙ）によって構成される。記憶部２２は、管理装置３の各部の動作を制御するための制御プログラムを記憶する。制御プログラムは、制御部２４によって実行される。
【００２０】
制御部２４は、第一情報と第二情報とに基づき、管理対象１の管理情報を示す通知画像を生成する。制御部２４は、例えば、ＣＰＵ（Ｃｅｎｔｒａｌ  Ｐｒｏｃｅｓｓｉｎｇ  Ｕｎｉｔ）のようなプロセッサー又は演算回路によって構成される。制御部２４は、通知画像生成処理を実行する。通知画像生成処理は、第一情報と第二情報とに基づき、管理対象１の管理情報を示す通知画像を生成する処理である。
【００２１】
管理情報は、管理対象１の現在の状態、名称及び位置を示す。管理情報は、管理対象１の理想状態を示す情報を更に含んでもよい。理想状態は、所定のエリアを利用するユーザーが所定のエリアから全員退室した際に管理対象１が示すべき状態であり、予め指定されている。通知画像が管理対象１の現在の状態とともに理想状態を含むと、ユーザーは通知画像を見た際に管理対象１に対して実行すべき具体的な操作を理解することができる。例えば、空調機器６、照明機器８及びプロジェクタ１０の理想状態は、起動していない状態（電源がオフとなっている状態）である。また、扉１２及び窓１４の理想状態は、施錠されている状態（扉１２及び窓１４が閉じられており、かつ鍵がかかっている状態）である。
【００２２】
通知画像は、例えば、マップ画像及び／又はリスト画像である。マップ画像は、所定のエリアのマップを示す画像である。リスト画像は、管理対象１の管理情報が管理対象ごとに一覧表記された画像である。
【００２３】
通信部２０は、所定のエリア内に位置する端末２に対し、通知画像と、通知画像を表示させる指令とを送信する。この結果、所定のエリアに在室するユーザーの端末２に通知画像が表示される。したがって、ユーザーは、通知画像を見ることにより、簡単に管理対象１の状態を把握し、管理対象１に対する措置を講じることができる。通信部２０は、送信部の一例である。
【００２４】
管理装置３は、入力部２８を更に備えることができる。入力部２８は、第二情報を入力することができる。入力部２８は、例えば、キーボード又はタッチパネルである。ユーザーは、第二情報を入力することにより、第二情報を更新することができる。第二情報を更新する場合としては、例えば、管理対象１が所定のエリア内に新たに設置される場合、管理対象１が故障若しくは破損等により所定のエリアから除去される場合、又は管理対象１が修理のために別の管理対象１と交換される場合が挙げられる。
【００２５】
続いて、図３及び図４を参照して、マップ画像及びリスト画像を説明する。
【００２６】
図３は、実施形態１に係るマップ画像を表示する画面（以下、マップ画像表示画面と記載することがある。）の一例を示す図である。マップ画像表示画面３０は所定のエリアのマップを示す。詳しくは、図３は、所定のエリアの一例であるオフィスのマップを示す。オフィスは、執務室３２と、実験室３３と、会議室３４とから構成される。
【００２７】
執務室３２は、管理対象１として、ドア３５と、エアコン３６及び３７と、照明４０〜４３と、窓５０、５２及び５４とを備える。ドア３５は、図１を参照して説明した扉１２に相当する。エアコン３６及び３７は、それぞれ図１を参照して説明した空調機器６に相当する。照明４０〜４３は、それぞれ図１を参照して説明した照明機器８に相当する。窓５０、５２及び５４は、それぞれ図１を参照して説明した窓１４に相当する。執務室３２は、更にユーザーの座席６０〜８３を備える。実験室３３は、管理対象１として、照明４４を備える。照明４４は、図１を参照して説明した照明機器８に相当する。会議室３４は、管理対象１として、プロジェクタ３８と、照明４５とを備える。プロジェクタ３８は、図１を参照して説明したプロジェクタ１０に相当する。照明４５は、図１を参照して説明した照明機器８に相当する。なお、マップ画像表示画面３０は、領域Ａ１〜Ａ８を更に含む。領域Ａ１〜Ａ２はそれぞれエアコン３６及び３７の空調が有効に作用する範囲を示す。領域Ａ３〜Ａ８はそれぞれ照明４０〜４５の照射光が有効に届く範囲を示す。
【００２８】
マップ画像表示画面３０は、所定のエリア内における管理対象１の位置に対応するマップの位置に、管理対象１の現在の状態、及び名称を示す画像を含む。図３に示すマップ画像表示画面３０において、ドア３５の現在の状態は「開」である。「開」は、ドア３５が施錠されていないことを示す。窓５０及び５４の現在の状態は「開」である。「開」は、窓が施錠されていないことを示す。一方、窓５２の現在の状態は「閉」である。「閉」は、窓が施錠されていることを示す。また、エアコン３６及び３７、並びに照明４０、４２及び４４の現在の状態は「ОＮ」である。「ＯＮ」は、エアコン及び照明の電源がオンとなっていることを示す。換言すると、起動していることを示す。一方、照明４１、４３及び４５の現在の状態は「ＯＦＦ」である。「ＯＦＦ」は、照明の電源がオフとなっていることを示す。換言すると、起動していないこと（非起動状態であること）を示す。
【００２９】
本実施形態において、マップ画像表示画面３０は、現在の状態が理想状態ではない管理対象１を通知する。具体的には、図３に示すマップ画像表示画面３０において、管理対象１の名称に付されるハッチング表記が、管理対象１の現在の状態が理想状態ではないことを示す。ハッチング表記が付された管理対象１が電子機器である場合、ハッチング表記は、在室者が管理対象１に省エネ操作を実行する必要があることを示す。このため、在室者は、マップ画像を見ることにより、省エネ操作を実行すべき管理対象１を容易に把握することができる。
【００３０】
また、図３に示すマップ画像表示画面３０において、座席６１、７４及び７７に付されるハッチング表記は、座席６１、７４及び７７に在籍するユーザーがオフィスに在室していることを示す。このため、在室者は、マップ画像を見ることにより、所定のエリア内に在室している在室者を容易に把握することができる。
【００３１】
図４は、実施形態１に係るリスト画像を表示する画面（以下、リスト画像表示画面と記載することがある。）の一例を示す図である。リスト画像表示画面８５は、管理対象１の現在の状態（第一情報）と、管理対象１の名称及び位置（第二情報）と、管理対象１の理想状態とを示す。例として窓５４を挙げると、リスト画像表示画面８５は、窓５４の名称は「窓」であり、窓５４の現在の状態は「開」であり施錠されていないことを示す。また、リスト画像表示画面８５は、窓５４の理想状態は「閉」であり、設置されている部屋区分は「執務室」であり、場所は「Ｃ３−Ｄ１」であることを示す。なお、管理対象１の場所は、図３における縦方向の区分Ｃ１〜Ｃ３と、横方向の区分Ｄ１〜Ｄ５との組合せにより表記される。例えば、場所Ｃ３−Ｄ１は、図３における縦方向の区分「Ｃ３」と横方向区分「Ｄ１」とが重なる範囲を示す。
【００３２】
続いて、図２及び図５を参照して、管理装置３の制御部２４が実行する通知画像表示処理について説明する。図５は、実施形態１に係る通知画像表示処理を示すフローチャートである。
【００３３】
図５に示すように、制御部２４は、通信部２０を介して管理対象１の第一情報を取得する（ステップＳ１００）と、第一情報と、記憶部２２が記憶する第二情報とに基づき、管理対象１の管理情報を示す通知画像を生成する（ステップＳ１０２）。制御部２４は、通知画像を生成すると、通信部２０を介して、端末２に通知画像を表示させる。詳しくは、制御部２４は、通信部２０を介して、所定のエリア内に位置する端末２に対し、通知画像と、通知画像を表示する指令とを送信する（ステップＳ１０４）。この結果、所定のエリア内に位置する端末２が、通知画像を表示する。制御部２４は、通知画像と、通知画像を表示する指令とを送信すると、通知画像表示処理を終了する。
【００３４】
以上、実施形態１について説明した。実施形態１に係る管理装置３は、端末２に通知画像を表示させる。この結果、ユーザーは管理対象１の現在の状態及び位置を視覚的に把握することができるため、通知画像に基づいて、省エネ行為を確実に実行することができる。以上から、実施形態１に係る管理装置３は、所定のエリア内の管理対象１の現在の状態を活用して所定のエリアの省エネをサポートすることができる。更に、ユーザーは管理対象１の現在の状態及び位置を視覚的に把握することができるため、通知画像に基づいて、施錠を確実に行うことができる。以上から、実施形態１に係る管理装置３は、所定のエリアの防犯をサポートすることができる。
【００３５】
［実施形態２］
次に、図１〜図４及び図６を参照して、実施形態２に係る管理装置３について説明する。実施形態２では、所定のエリア内に在室する在室者の人数の情報を活用して所定のエリアの省エネをサポートする点で、実施形態１と異なる。以下、実施形態２について実施形態１と異なる事項について説明し、実施形態１と重複する部分についての説明は割愛する。
【００３６】
図２に示す記憶部２２は、所定のエリアを利用するユーザーを示すユーザー情報と、ユーザーが使用する端末２を示す端末情報とを更に記憶する。
【００３７】
通信部２０は、ユーザーの所定のエリアへの入室及び所定のエリアからの退室を示す入退室情報を更に受信する。入退室情報は、例えば、ユーザーが所持するＩＤカードに登録されたユーザーの識別情報又はユーザーの生体情報である。詳しくは、ユーザー情報が、ＩＤカードに登録されたユーザーの認証情報である場合、管理装置３は、入退室情報として、ユーザーの識別情報を取得する。具体的には、図３に示すオフィスの入退室口であるドア３５付近に、ＩＤカードリーダーを設置する。入室又は退室するユーザーはＩＤカードリーダーにＩＤカードの識別情報を読み込ませる。通信部２０は、ネットワークを介して、ＩＤカードリーダーから識別情報を受信する。生体情報としては、例えば、顔画像、指紋、掌紋、静脈又は虹彩が挙げられる。ユーザー情報が、ユーザーの生体情報である場合、管理装置３は、入退室情報として、ユーザーの生体情報を取得する。具体的には、図３に示すオフィスの入退室口であるドア３５付近に、生体情報リーダーを設置する。入室又は退室するユーザーは生体情報リーダーにユーザーの生体情報を読み込ませる。通信部２０は、ネットワークを介して、生体情報カードリーダーから生体情報を受信する。
【００３８】
制御部２４は、入退室情報に基づいて所定のエリア内に在室している在室者の人数を算出する。詳しくは、在室者の人数は、入室者の人数から退室者の人数を引くことで、得られる。制御部２４は、所定の時刻以降に、在室者の人数が予め設定された人数以下であるか否かを判定する。
【００３９】
制御部２４は、在室者の人数が予め設定された人数以下であると判定すると、入退室情報と、ユーザー情報とに基づいて、ユーザーのうちから、所定のエリア内に在室している第一在室者を特定するとともに、端末情報に基づいて、第一在室者が使用する端末２を特定する。図３は、所定の時刻が経過した後に、在室者の人数が３人となった状態を示している。予め設定された人数が３人である場合、在室者が３人以下になると、第一在室者が特定される。図３に示す例では、制御部２４は、座席６１、７４及び７７に在籍する在室者を第一在室者として特定する。そして、制御部２４は、端末情報に基づいて、座席６１、７４及び７７に在籍する在室者が使用する端末２を特定する。
【００４０】
通信部２０は、制御部２４が特定した端末２に対し、通知画像と、通知画像を表示させる指令とを送信する。図３に示す例では、座席６１、７４及び７７に在籍する在室者（第一在室者）が使用する端末２に、通知画像としてマップ画像及び／又はリスト画像が送信される。この結果、第一在室者の端末２において、マップ画像及び／又はリスト画像が表示される。したがって、これらの第一在室者は、図３で示されるマップ画像及び／又は図４で示されるリスト画像を見ることができる。これにより、第一在室者は、退室する際に、現在の状態から理想状態に変更すべき管理対象１と、その管理対象１に対して実行すべき操作とを容易に把握することができる。
【００４１】
続いて図１、図２及び図６を参照して、管理装置３の制御部２４が実行する第一在室者特定処理について説明する。図６は、実施形態２に係る第一在室者特定処理を示すフローチャートである。
【００４２】
実施形態２では、通信部２０は、入退室情報を更に受信する。記憶部２２は、通信部２０が受信した入退室情報を更に記憶する。制御部２４は、入退室情報を記憶部２２から取得し、入退室情報に基づいて、在室者の人数を算出する。制御部２４は、所定の時刻が経過したか否かを判定し、所定の時刻が経過したと判定すると、図６に示す第一在室者特定処理を開始する。予め設定される時刻は、複数設定されてもよい。例えば、定時時刻、及び定時時刻以降２時間おきの時刻でもよい。
【００４３】
図６に示すように、制御部２４は、所定の時刻が経過すると、在室者の人数が予め設定された人数以下であるか否かを判定する（ステップＳ１１０）。制御部２４は、在室者の人数が予め設定された人数以下となるまで、ステップＳ１１０の処理を繰り返す（ステップＳ１１０のＮｏ）。制御部２４は、在室者の人数が予め設定された人数以下であると判定すると（ステップＳ１１０のＹｅｓ）、記憶部２２が記憶する入退室情報とユーザー情報とに基づいて、ユーザーのうちから所定のエリア内に在室している第一在室者を特定する（ステップＳ１１２）。制御部２４は更に第一在室者の使用する端末２を特定する（ステップＳ１１４）。次いで、制御部２４は、通知画像（マップ画像及び／又はリスト画像）を生成する（ステップＳ１１６）。次いで、制御部２４は、通信部２０を介して、制御部２４が特定した第一在室者が使用する端末２に通知画像を表示させる。詳しくは、制御部２４は、通信部２０を介して、第一在室者が使用する端末２に対し、通知画像と、通知画像を表示させる指令とを送信する（ステップＳ１１８）。この結果、第一在室者の使用する端末２に、通知画像が表示される。通知画像と、通知画像を表示させる指令とが送信されると、第一在室者特定処理が終了する。
【００４４】
以上のように、実施形態２に係る管理装置３は、ユーザーの端末２に管理対象１の管理情報（管理対象１の現在の状態、名称及び位置）を通知する。このため、ユーザーは管理対象１の現在の状態及び位置を把握することができ、ユーザーは管理情報に基づいて省エネ行為を確実に実行することができる。よって、実施形態２に係る管理装置３は、管理対象の現在の状態及び所定のエリア内の在室者の人数の情報を活用して所定のエリアの省エネをサポートすることができる。
【００４５】
なお、管理装置３の入力部２８は、ユーザー情報及び端末情報を更に入力することができる。したがって、ユーザー情報及び端末情報を更新することができる。ユーザー情報を更新する場合としては、例えば、ユーザーが異動する場合が挙げられる。また、端末情報を更新する場合としては、端末２が修理のために別の端末２と交換される場合が挙げられる。
【００４６】
［実施形態３］
次に、図１、図２及び図７〜図１０を参照して、実施形態３に係る管理装置３について説明する。実施形態３は、第一在室者のうちから第二在室者を特定し、第二在室者の端末にメッセージ画像を表示させる点で、実施形態２と異なる。第二在室者は、管理対象１ごとに特定される。詳しくは、第二在室者として、管理対象１ごとに、管理対象１に座席が最も近い第一在室者が特定される。以下、実施形態３について実施形態２と異なる事項について説明し、実施形態２と重複する部分についての説明は割愛する。図７は、実施形態３に係るマップ画像を表示する画面の一例を示す図である。
【００４７】
図２に示す記憶部２２は、所定のエリア内のユーザーの座席の位置を示す座席情報を更に記憶する。
【００４８】
制御部２４は、管理対象１の位置を示す情報と、座席情報とに基づいて、管理対象１ごとに、第一在室者のうちから、管理対象１に対して座席が最も近い第二在室者を更に特定する。詳しくは、第二在室者は、現在の状態が理想状態ではない管理対象１ごとに特定される。図７に示す例では、施錠する必要又は電源をオフする必要がある管理対象１は、エアコン３６及び３７、照明４０、４２及び４４、窓５０及び５４、並びにドア３５である。これらの管理対象１ごとに、第一在室者のうちから、第二在室者を特定する。具体的には、エアコン３６、照明４０及び４４、窓５０、並びにドア３５に対して座席が最も近い第二在室者は、座席６１を使用するユーザーである。エアコン３７、照明４２及び窓５４に対して座席が最も近い第二在室者は、座席７４及び７７を使用する各ユーザーである。
【００４９】
本実施形態では、第二在室者を１人単位で区別しておらず、グループ化している。詳しくは、座席を座席６０〜６５、６６〜７１、７２〜７７及び７８〜８３の４つのグループに分けて、操作が必要な管理対象１に対して最も近い座席グループを特定している。また、後述するように、メッセージ画像も座席グループごとに通知する。
【００５０】
制御部２４は、第二在室者が属する座席グループごとに通知画像（マップ画像及び／又はリスト画像）を作成する。また、制御部２４は、第二在室者が属する座席グループ毎、メッセージ画像を作成する。メッセージ画像は、管理対象１の状態を所定の状態に遷移させることを促すメッセージを含む。通信部２０は、第二在室者の端末２に対し、対応する管理対象１の状態を所定の状態に遷移させることを促すメッセージ画像と、メッセージ画像を表示させる指令とを更に送信する。
【００５１】
図７は、座席７４及び７７に在籍する第二在室者の端末２に表示されるマップ画像表示画面３１を示す。図７に示すように、マップ画像表示画面３１は、メッセージ画像Ｍを含む。メッセージ画像Ｍは、起動又は開錠している管理対象１を電源オフ又は施錠するように促すメッセージを含む。メッセージ画像Ｍにより、第二在室者は実行すべき操作を把握することができる。
【００５２】
更に、マップ画像表示画面３１において、座席７４及び７７に在籍する第二在室者に対応する管理対象１（操作が必要な管理対象１）の名称（具体的には、３７及び４２）は、太線で囲まれる。したがって、第二在室者は、マップ画像表示画面３１を見ることにより、操作すべき管理対象１を容易に把握することができる。
【００５３】
続いて図８及び図９を参照して、実施形態３に係るリスト画像を説明する。図８及び図９は、本発明の実施形態３に係るリスト画像を表示する画面の一例を示す図である。詳しくは、図８は、図７に示す座席６１に在籍する第二在室者のために作成されるリスト画像表示画面８６を示す。図９は、図７に示す座席７４及び７７に在籍する第二在室者のために作成されるリスト画像表示画面８７を示す。
【００５４】
図８及び図９に示すように、実施形態３に係るリスト画像表示画面８６及び８７には、操作すべき管理対象１の管理情報が一覧表記される。したがって、第二在室者は、リスト画像を見ることにより、操作すべき管理対象１を容易に把握することができる。
【００５５】
更に、リスト画像表示画面８６及び８７は、起動又は開錠している管理対象１を電源オフ又は施錠するように促すメッセージ画像Ｍを含む。メッセージ画像Ｍにより、第二在室者は実行すべき操作を把握することができる。
【００５６】
続いて図１、図２、図７〜図１０を参照して、管理装置３の制御部２４が実行する第二在室者特定処理について説明する。図１０は、実施形態３に係る第二在室者特定処理を示すフローチャートである。
【００５７】
実施形態３では、まず、実施形態２と同様に第一在室者が特定される（ステップＳ１２０、Ｓ１２２）。
【００５８】
第一在室者が特定されると、制御部２４は、管理対象１の位置を示す情報と、座席情報とに基づいて、管理対象１ごとに、第一在室者のうちから、管理対象１に対して座席が最も近い第二在室者を特定する（ステップＳ１２８）。本実施形態では、第二在室者は、現在の状態が理想状態ではない管理対象１（操作が必要な管理対象１）ごとに特定される。制御部２４は、第二在室者の使用する端末２を特定する（ステップＳ１３０）。
【００５９】
制御部２４は、第二在室者ごとに（第二在室者が属する座席グループごとに）、通知画像（マップ画像及び／又はリスト画像）及びメッセージ画像を作成する（ステップＳ１３２）。メッセージ画像は、管理対象１の状態を所定の状態に遷移させることを促すメッセージを含む画像である。所定の状態は、例えば、起動されている状態又は施錠されている状態である。
【００６０】
制御部２４は、通信部２０を介して、第二在室者の端末２に通知画像を表示させる。詳しくは、制御部２４は、通信部２０を介して、第二在室者の端末２に対し、通知画像及びメッセージ画像と、それらの画像を表示させる指令とを送信する（ステップＳ１３４）。この結果、第二在室者の使用する端末２に、通知画像及びメッセージ画像が表示される。通知画像及びメッセージ画像と、それらの画像を表示させる指令とが送信されると、第二在室者特定処理が終了する。
【００６１】
以上のように、実施形態３に係る管理装置３は、管理対象１ごとに、第二在室者を特定し、第二在室者の端末２に、対応する管理対象１の管理情報を送信する。このため、管理対象１を管理する責任の所在が明確になり、管理対象１に対するサポートが効率的となる。更に第二在室者にメッセージ画像が送信されるため、操作内容が明確になる。更に、実施形態３に係る通知画像によれば、操作すべき管理対象１を第二在室者が一見して把握することができる。よって、実施形態３に係る管理装置３は、確実に省エネをサポートすることができる。
【００６２】
なお、管理装置３の入力部２８は、ユーザーの座席の位置を示す座席情報を更に入力することができる。したがって、座席情報を更新することができる。座席情報を更新する場合としては、例えば、席替えする場合が挙げられる。
【００６３】
［実施形態４］
次に、図１、図２、図１１及び図１２を参照して、実施形態４に係る管理装置３について説明する。図１１は、実施形態４に係る第三在室者の行動軌跡を示す図（行動軌跡表示図４６）である。実施形態４は、所定のエリアを利用するユーザーの行動軌跡を時系列に沿って記憶し、第一在室者が所定の区画に進入した頻度に基づいて、第一在室者のうちから第三在室者を特定する点で、実施形態２と異なる。以下、実施形態４について実施形態２と異なる事項について説明し、実施形態２と重複する部分についての説明は割愛する。
【００６４】
図２に示す通信部２０は、携帯端末１８から、所定のエリア内における携帯端末１８の現在位置を示す位置情報を更に受信する。携帯端末１８にＧＰＳ機能を搭載させることで、通信部２０は携帯端末１８から位置情報を受信することができる。これにより携帯端末１８を携帯するユーザーの所定のエリア内の位置を随時把握することができる。
【００６５】
制御部２４は、所定のエリアを利用するユーザーの位置情報を時系列に沿って、記憶部２２に記憶させる。これにより制御部２４は、ユーザーの行動軌跡を把握することができる。制御部２４は、第一在室者を特定すると、記憶部２２が記憶する第一在室者の位置情報に基づいて、第一在室者が所定の区画に進入した頻度を更に判定する。制御部２４は、第一在室者のうちから、所定の区画に進入した頻度が所定の条件を満たす第三在室者を更に特定する。所定のエリアは複数の部分に区切られており、それらの部分のうちの少なくとも１つが、所定の区画として定められる。典型的には、所定の区画は、所定のエリアのうち、在室者が主として在室する区画以外の区画である。図１１で示される所定のエリアは、執務室３２と、実験室３３と、会議室３４とに区切られており、所定の区画は、実験室３３及び会議室３４である。
【００６６】
例えば、第一在室者として座席６１に在籍する在室者に着目し、所定の区画として実験室３３に着目する。図１１は、座席６１に在籍する第一在室者の行動軌跡５１を示す。具体的には、図１１において、行動軌跡５１が、座席６１に在籍する第一在室者の行動軌跡を示す。照明４４は、実験室３３に設置された第一管理対象である。第一管理対象は、管理対象１に含まれ、所定の区画に配置される。制御部２４は、座席６１に在籍する第一在室者が実験室３３に進入した頻度を算出する。具体的には、制御部２４は、座席６１に在籍する第一在室者の行動軌跡に基づき、座席６１に在籍する第一在室者が執務室３２から実験室３３へ進入した回数を算出する。
【００６７】
制御部２４は、座席６１に在籍する第一在室者が実験室３３に進入した頻度が所定の条件を満たすか否かを判定する。所定の条件とは、例えば、第一在室者のうち、実験室３３に進入した頻度が所定の値以上となる者であること、又は実験室３３に進入した頻度が、最大となる者であることである。制御部２４は、頻度が所定の条件を満たす第一在室者を所定の区画に対する第三在室者として特定する。したがって、図１１で示される例において、座席６１に在籍する第一在室者が座席７４及び７７に在籍する第一在室者に比べて、実験室３３に進入した頻度が多い場合、又は座席６１に在籍する第一在室者が実験室３３に進入した頻度が所定の値以上である場合、座席６１に在籍する第一在室者が、実験室３３に対する第三在室者として特定される。
【００６８】
通信部２０は、第三在室者の端末２に対し、第一管理対象の状態を所定の状態に遷移させることを促すメッセージ画像と、メッセージ画像を表示させる指令とを更に送信する。図１１に示す例では、管理装置３は、実験室３３に設置された照明４４の電源をオフにするように促すメッセージ画像を、座席６１に在籍する第三在室者の端末２に表示させる。
【００６９】
続いて図１、図２、図１１及び図１２を参照して、管理装置３の制御部２４が実行する第三在室者特定処理について説明する。図１２は、実施形態４に係る第三者在室者特定処理を示すフローチャートである。
【００７０】
実施形態４では、まず、実施形態２及び３と同様に第一在室者が特定される（ステップＳ１４０、Ｓ１４２）。
【００７１】
制御部２４は、第一在室者を特定すると、第一在室者の行動軌跡（位置情報）を記憶部２２から取得する（ステップＳ１４４）。例えば、所定のエリアを利用するユーザーの携帯する携帯端末１８から、通信部２０が携帯端末１８の現在位置を示す位置情報を受信し、制御部２４が、時系列に沿って位置情報を記憶部２２に記憶させる。これにより制御部２４は、所定のエリアを利用するユーザーの行動軌跡を記憶部２２に記憶させる。制御部２４は、記憶部２２から取得した第一在室者の行動軌跡に基づいて、第一在室者の所定の区画に進入する頻度を算出する（ステップＳ１４６）。
【００７２】
次いで、制御部２４は、第一在室者の所定の区画に進入する頻度が所定の条件を満たすか否かを判定する（ステップＳ１４８）。所定の条件は、上述したように、判定対象の第一在室者が所定の区画に進入した頻度が、第一在室者のうちで最大であること、又は判定対象の第一在室者が所定の区画に進入した頻度が所定の値（例えば、５回）以上であることである。制御部２４は、頻度が所定の条件を満たさないと判定すると（ステップＳ１４８のＮｏ）、実施形態４に係る第三在室者特定処理は終了する。一方、制御部２４は、頻度が所定の条件を満たすと判定すると（ステップＳ１４８のＹｅｓ）、判定対象の第一在室者を第三在室者として特定し、その第三在室者の使用する端末２を特定する（ステップＳ１５０）。
【００７３】
制御部２４は、第三在室者の使用する端末２を特定すると、通知画像（マップ画像及び／又はリスト画像）、及びメッセージ画像を作成する（ステップＳ１５２）。制御部２４は、通信部２０を介して、第三在室者の使用する端末２に通知画像を表示する。詳しくは、制御部２４は、通信部２０を介して、第三在室者の端末２に対して、通知画像、及びメッセージ画像と、それらの画像を表示する指令とを送信する（ステップＳ１５４）。この結果、第三在室者の使用する端末２に、通知画像及びメッセージ画像が表示される。通知画像及びメッセージ画像と、それらを表示させる指令とが送信されると、実施形態４に係る第三在室者特定処理は終了する。
【００７４】
以上のように、実施形態４に係る管理装置３は、所定の区画に設置された管理対象１を最も多く使用する第三在室者を特定し、第三在室者の端末２に、省エネをサポートするメッセージ画像を表示させるため、管理対象１に対する省エネのサポートが効率的となる。
【００７５】
［実施形態５］
次に、図１、図２、図１１及び図１３を参照して、実施形態５に係る管理装置３について説明する。実施形態５は、所定のエリアを利用するユーザーの行動軌跡を時系列に沿って記憶し、第一在室者が所定の区画に滞在した時間に基づいて、第一在室者のうちから第四在室者を特定する点で、実施形態４と異なる。以下、実施形態５について実施形態４と異なる事項について説明し、実施形態４と重複する部分についての説明は割愛する。
【００７６】
図２に示す制御部２４は、携帯端末１８から位置情報を受信した時刻を示す時刻情報を位置情報に関連づけて記憶部２２に記憶させる。制御部２４は、第一在室者を特定すると、第一在室者の位置情報と時刻情報とに基づいて、第一在室者が所定の区画に滞在した時間（以下、滞在時間と記載することがある。）を算出する。制御部２４は、第一在室者のうちから、所定の区画に滞在した時間が所定の条件を満たす第四在室者を特定する。
【００７７】
所定の条件とは、例えば、判定対象の第一在室者が所定の区画に滞在した時間が所定の値以上となること、又は判定対象の第一在室者が所定の区画に滞在した時間が、第一在室者のうちで最大であることである。制御部２４は、滞在時間が所定の条件を満たす第一在室者を所定の区画に対する第四在室者として特定する。したがって、図１１で示される例において、座席６１に在籍する第一在室者が座席７４及び７７に在籍する第一在室者に比べて、実験室３３での滞在時間が長い場合、又は座席６１に在籍する第一在室者の実験室３３での滞在時間が所定の値以上である場合、座席６１に在籍する第一在室者が、実験室３３に対する第四在室者として特定される。
【００７８】
通信部２０は、第四在室者の端末２に対し、第一管理対象（例えば、実験室３３に設置された照明４４）の状態を所定の状態に遷移させることを促すメッセージ画像と、メッセージ画像を表示させる指令とを更に送信する。図１１に示す例では、実験室３３の照明４４の電源をオフにするように促すメッセージ画像が座席６１に在籍する第四在室者の端末２に表示される。
【００７９】
続いて図１、図２、図１１及び図１３を参照して、管理装置３の制御部２４が実行する第四在室者特定処理について説明する。図１３は、実施形態５に係る第四者在室者特定処理を示すフローチャートである。
【００８０】
実施形態５では、まず、実施形態４と同様に第一在室者が特定される（ステップＳ１４１、Ｓ１４３）。制御部２４は、第一在室者を特定すると、第一在室者の行動軌跡（位置情報）と、その行動軌跡に関連付けられた時刻情報とを記憶部２２から取得する（ステップＳ１４５）。
【００８１】
次いで、制御部２４は、第一在室者の行動軌跡と時刻情報とに基づいて、第一在室者の所定の区画での滞在時間を算出する（ステップＳ１４７）。制御部２４は、第一在室者の所定の区画での滞在時間が所定の条件を満たすか否かを判定する（ステップＳ１４９）。所定の条件は、上述したように、判定対象の第一在室者の滞在時間が第一在室者のうちで最大であること、又は判定対象の第一在室者の滞在時間が所定の値（例えば、２時間）以上であることである。制御部２４は、滞在時間が所定の条件を満たさないと判定すると（ステップＳ１４９のＮｏ）、実施形態５に係る第四在室者特定処理は終了する。一方、制御部２４は、頻度が所定の条件を満たすと判定すると（ステップＳ１４９のＹｅｓ）、判定対象の第一在室者を第四在室者として特定し、その第四在室者の使用する端末２を特定する（ステップＳ１５１）。制御部２４は、所定の区画における管理対象１を更に特定する。
【００８２】
制御部２４は、第四在室者の使用する端末２を特定すると、通知画像（マップ画像及び／又はリスト画像）、及びメッセージ画像を作成する（ステップＳ１５３）。制御部２４は、通信部２０を介して、通知画像を表示させる。詳しくは、制御部２４は、通信部２０を介して、第四在室者の端末２に対して、通知画像及びメッセージ画像と、それらの画像を表示する指令とを送信する（ステップＳ１５５）。この結果、第四在室者の使用する端末２に、通知画像及びメッセージ画像が表示される。通信部２０が通知画像及びメッセージ画像と、それらの画像を表示する指令とを送信すると、実施形態５に係る第四在室者特定処理は、終了する。
【００８３】
以上のように、実施形態５に係る管理装置３は、所定の区画に設置された管理対象１を最も多く使用する第四在室者を特定し、第四在室者の端末２に、省エネをサポートするメッセージ画像を表示させるため、管理対象１に対するサポートが効率的となる。
【００８４】
［実施形態６］
図１、図２、図１４及び図１５を参照して、実施形態６に係る管理装置３について説明する。実施形態６は、所定のエリアから最後に退室する者（最終退室者）を特定し、最終退室者に第二管理対象の状態を制御させる点で、実施形態４と異なる。以下、実施形態６について実施形態４と異なる事項について説明し、実施形態４と重複する部分についての説明は割愛する。第二管理対象は、最終退室者によってのみ状態が制御されるべき管理対象１である。管理対象１は、第二管理対象を含む。
【００８５】
図１４は、実施形態６に係るマップ画像を表示する画面の一例を示す図である。例えば、第二管理対象は、起動に時間のかかる管理対象１である。図１４に示す例において、第二管理対象は、プロジェクタ３８である。
【００８６】
図２に示す制御部２４は、入退室情報に基づいて所定のエリア内に在室している第一在室者の人数を算出し、第一在室者の人数が１人であるか否かを判定する。制御部２４は、第一在室者の人数が１人であると判定すると、入退室情報と、ユーザー情報とに基づいて、第一在室者のうちから、最終退室者を特定する。制御部２４は、端末情報に基づいて、最終退室者が使用する端末２を特定する。図１４で示されるマップ画像表示画面４７では、最終退室者は座席６１に在籍する第一在室者である。
【００８７】
通信部２０は、最終退室者の端末２に対し、第二管理対象の電源をオフにするように促すメッセージ画像と、メッセージ画像を表示させる指令とを更に送信する。この結果、最終退室者の端末２に、例えば、図１４で示されるマップ画像及びメッセージ画像が表示される。
【００８８】
続いて図１、図２、図１４及び図１５を参照して、管理装置３の制御部２４が実行する最終退室者特定処理について説明する。図１５は、実施形態６に係る最終退室者特定処理を示すフローチャートである。
【００８９】
実施形態６では、図１５に示すように、制御部２４は、第一在室者の人数が１人であるか否かを判定する（ステップＳ１６０）。制御部２４は、在室者の人数が１人になるまで、ステップＳ１６０の処理を繰り返す（ステップＳ１６０のＮｏ）。
【００９０】
制御部２４は、第一在室者の人数が１人であると判定すると（ステップＳ１６０のＹｅｓ）、入退室情報とユーザー情報とに基づいて、最終退室者を特定するとともに、端末情報に基づいて、最終退室者が使用する端末２を特定する（ステップＳ１６２）。制御部２４は、最終退室者の端末２を特定すると、通知画像（マップ画像及び／又はリスト画像）及びメッセージ画像を作成する（ステップＳ１６４）。制御部２４は、通信部２０を介して、最終退室者の端末２に通知画像を表示させる。詳しくは、制御部２４は、通信部２０を介して、最終退室者の端末２に対して通知画像及びメッセージ画像を送信する（ステップＳ１６６）。それにより、最終退室者の端末２に通知画像及びメッセージ画像が表示される。メッセージ画像は、第二管理対象の電源をオフにするか、又は施錠するように最終退室者を促すメッセージを含む。通信部２０が通知画像及びメッセージ画像と、それらの画像を表示する指令とを送信すると、実施形態６に係る最終退室者特定処理は、終了する。
【００９１】
以上から、実施形態６では、最終退室者によってのみ状態を制御されるべき第二管理対象の省エネ対応を最終退室者に通知することができる。
【００９２】
［実施形態７］
図１、図２及び図１６を参照して、実施形態７に係る管理装置３について説明する。実施形態７は、最終退室候補者に対し、第二管理対象（最終退室者によってのみ状態を制御されるべき管理対象１）の省エネ対応（状態の制御）をしないように促すメッセージを通知する点において、実施形態６と異なる。以下、実施形態７について実施形態６と異なる事項について説明し、実施形態６と重複する部分についての説明は割愛する。
【００９３】
図２に示す制御部２４は、入退室情報に基づいて第一在室者の人数を算出し、所定の時刻以降に第一在室者が所定の人数以下であるか否かを判定する。制御部２４は、第一在室者が所定の人数以下であると判定すると、入退室情報と、ユーザー情報とに基づいて、所定のエリアに在室している在室者を最終退室候補者として特定する。制御部２４は、端末情報に基づいて、最終退室候補者の使用する端末２を特定する。
【００９４】
通信部２０は、最終退室候補者の端末２に対し、第二管理対象の電源をオフにしないように促すメッセージ画像と、メッセージ画像を表示する指令とを送信する。第二管理対象は、例えば、起動に時間のかかる管理対象１（例えば、プロジェクタ１０）である。メッセージは、例えば、「最終退室する場合を除き、プロジェクタの電源をオフにしないで下さい。」である。
【００９５】
続いて図１、図２及び図１６を参照して、管理装置３の制御部２４が実行する最終退室候補者特定処理について説明する。図１６は、実施形態７に係る最終退室候補者特定処理を示すフローチャートである。
【００９６】
制御部２４は、所定の時刻以降になると、第一在室者の人数が所定の人数以下となるか否かを判定する（ステップＳ１７０）。制御部２４は、第一在室者の人数が所定の人数以下となるまで、ステップＳ１７０の処理を繰り返す（ステップＳ１７０のＮｏ）。
【００９７】
制御部２４は、第一在室者の人数が所定の人数以下であると判定すると（ステップＳ１７０のＹｅｓ）、最終退室候補者と、最終退室候補者の使用する端末２とを特定する（ステップＳ１７２）。制御部２４は、最終退室候補者の端末２を特定すると、通知画像（マップ画像及び／又はリスト画像）及びメッセージ画像を作成する（ステップＳ１７４）。制御部２４は、通信部２０を介して、最終退室候補者の端末２に、通知画像を表示させる。制御部２４は、通信部２０を介して、最終退室候補者の端末２に通知画像及びメッセージ画像を送信する（ステップＳ１７６）。それにより、最終退室候補者の端末２に通知画像及びメッセージ画像が表示される。通信部２０が通知画像及びメッセージ画像と、それらの画像を表示する指令とを送信すると、実施形態７に係る最終退室候補者特定処理は、終了する。
【００９８】
以上説明したように、実施形態７に係る管理装置３によれば、最終退室者によってのみ操作されるべき管理対象１（第二管理対象）に対し、最終退室者ではない人が省エネ対応を行うことを抑制できる。
【００９９】
［実施形態８］
図１、図２及び図１７を参照して、実施形態８に係る管理装置３を説明する。実施形態８は、所定のエリア内におけるユーザー（在室者）の位置に応じて管理装置３が管理対象１の状態を制御する点で実施形態１〜７と異なる。以下、実施形態８について実施形態１〜７と異なる事項について説明し、実施形態１〜７と重複する部分についての説明は割愛する。
【０１００】
図２に示す通信部２０は、携帯端末１８から、所定のエリア内における携帯端末１８の現在位置を示す位置情報を更に受信する。
【０１０１】
管理対象１は、管理装置３が状態を制御できる第三管理対象を含む。第三管理対象は、例えば、空調機器６、照明機器８及びプロジェクタ１０である。記憶部２２は、第三管理対象の起動に要する時間を示す起動情報と、第三管理対象の待機電力を示す電力情報とのうちの少なくとも一方を更に記憶する。制御部２４は、起動情報及び電力情報のうちの少なくとも一方に基づき、第三管理対象のうちから、状態制御を実行する対象である第四管理対象を特定する。第四管理対象は、例えば、第三管理対象のうち起動に比較的長い時間を要し、かつ待機電力が比較的大きい対象である。起動情報及び待機電力の何れを優先的に適用するかは、ユーザーが予め設定することができる。
【０１０２】
制御部２４は、第四管理対象の位置を示す情報と、携帯端末１８の現在位置を示す位置情報と、第四管理対象の第一情報とに基づき、第四管理対象の状態の制御が必要であるか否かを判定する。制御部２４が、第四管理対象の状態の制御が必要であると判定すると、通信部２０は、第四管理対象に対し、第四管理対象の状態を所定の状態に遷移させる指令を送信する。
【０１０３】
続いて図１、図２及び図１７を参照して、管理装置３の制御部２４が実行する状態制御処理について説明する。図１７は、実施形態８に係る状態制御処理を示すフローチャートを示す。
【０１０４】
制御部２４は、第三管理対象の起動に要する時間を示す起動情報と、第三管理対象の待機電力を示す電力情報とのうちの少なくとも一方に基づき、第三管理対象のうちから、第四管理対象を特定する（ステップＳ１７８）。
【０１０５】
制御部２４は、第四管理対象の位置を示す情報と、携帯端末１８の現在位置を示す位置情報と、第四管理対象の第一情報とに基づき、第四管理対象の状態制御が必要であるか否かを判定する（ステップＳ１８０）。制御部２４は、第四管理対象の状態制御が必要であると判定するまで、ステップＳ１７８と、ステップＳ１８０との処理を繰り返す（ステップＳ１８０のＮｏ）。
【０１０６】
制御部２４が、第四管理対象の状態の制御が必要であると判定すると（ステップＳ１８０のＹｅｓ）、通信部２０は、第四管理対象の状態を遷移させる指令を送信する（ステップＳ１８２）。例えば、制御部２４は、第四管理対象の電源がオン状態であり、第四管理対象の周囲に在室者がいない場合、第四管理対象の状態制御が必要であると判定する（ステップＳ１８０のＹｅｓ）。この場合、通信部２０は、第四管理対象の電源をオフ状態にする指令を送信する。また、制御部２４は、第四管理対象の電源がオフ状態であり、第四管理対象の周囲に在室者がいる場合、第四管理対象の状態制御が必要であると判定する（ステップＳ１８０のＹｅｓ）。この場合、通信部２０は、第四管理対象の電源をオン状態にする指令を送信する。ステップＳ１８２において通信部２０が第四管理対象の状態を遷移させる指令を送信すると、実施形態８に係る状態制御処理は終了する。
【０１０７】
以上から、実施形態８に係る管理装置３は、省エネ対応が必要な管理対象１に対し、省エネ対応を実行するため、省エネを効率よく実行することができる。
【０１０８】
［実施形態９］
図１、図２及び図１８を参照して、実施形態９に係る管理装置３を説明する。実施形態９は、時刻に応じて管理装置３が管理対象１の状態を制御する点で実施形態１〜８と異なる。以下、実施形態９について実施形態１〜８と異なる事項について説明し、実施形態１〜８と重複する部分についての説明は割愛する。
【０１０９】
管理対象１は、管理装置３が状態を制御できる第三管理対象を含む。記憶部２２は、起動管理時刻を更に記憶する。起動管理時刻は、第三管理対象を起動状態にする時刻又は第三管理対象を非起動状態にする時刻を示す。
【０１１０】
制御部２４は、現在時刻が起動管理時刻であるか否かを判定する。制御部２４は、現在時刻が起動管理時刻であると判定すると、第三管理対象の第一情報に基づき、第三管理対象の起動状態にする必要があるか否かを判定する。
【０１１１】
通信部２０は、第三管理対象の起動状態にする必要があると制御部２４が判定すると、第三管理対象に対し、第三管理対象の状態を遷移させる指令を送信する。
【０１１２】
続いて図１、図２及び図１８を参照して、管理装置３の制御部２４が実行する第一起動制御処理について説明する。図１８は、実施形態９に係る第一起動制御処理の一例を示すフローチャートを示す。
【０１１３】
現在時刻が起動管理時刻になると、第一起動制御処理は開始する。制御部２４は、第一起動制御処理が開始すると、まず、第三管理対象の第一情報に基づき、第三管理対象の状態制御が必要であるか否かを判定する。状態制御とは、例えば、起動状態にすること（起動させること）、非起動状態にすること（電源をオフ状態にすること）である。図１８では、状態制御のうち起動させることについて説明する。制御部２４は、第三管理対象を起動させることが必要であるか否かを判定する（ステップＳ１８４）。制御部２４が、第三管理対象を起動させる必要がないと判定すると（ステップＳ１８４のＮｏ）、第一起動制御処理は終了する。
【０１１４】
制御部２４が、第三管理対象を起動させる必要があると判定すると（ステップＳ１８４のＹｅｓ）、通信部２０が、第三管理対象の状態を遷移させる指令を送信する（ステップＳ１８６）。例えば、起動管理時刻が、第三管理対象を起動させる時刻を示し、第三管理対象の第一情報が、第三管理対象の電源がオフ状態であることを示す場合、通信部２０は、第三管理対象の電源をオン状態にする指令を送信する。これにより、第三管理対象は、起動管理時刻に起動する。一方、起動管理時刻が、第三管理対象を非起動状態にする時刻を示し、第三管理対象の第一情報が、第三管理対象の電源がオン状態であることを示す場合、通信部２０は、第三管理対象の電源をオフ状態にする指令を送信する。これにより、第三管理対象の電源が、起動管理時刻にオフ状態となる。通信部２０が第三管理対象の状態を遷移させる指令を送信すると、第一起動制御処理は終了する。
【０１１５】
以上から、実施形態９に係る管理装置３は、起動管理時刻になると第三管理対象を起動させるため、ユーザーは効率よく仕事を行うことができる。また、実施形態９に係る管理装置３は、起動管理時刻になると第三管理対象の電源をオフさせるため、所定のエリアの省エネをサポートすることができる。
【０１１６】
［実施形態１０］
図１、図２及び図１９を参照して、実施形態１０に係る管理装置３を説明する。実施形態１０は、特定のユーザーが所定のエリアに入室したか否かに応じて管理装置３が管理対象１の状態を制御する点で実施形態１〜９と異なる。以下、実施形態１０について実施形態１〜９と異なる事項について説明し、実施形態１〜９と重複する部分についての説明は割愛する。
【０１１７】
記憶部２２は、所定のエリアを利用するユーザーのうちから予め選出した特定ユーザーを示す特定ユーザー情報を記憶する。
【０１１８】
通信部２０は、特定のユーザーの所定のエリア内への入室を示す入室情報を受信する。例えば、実施形態１において説明したように、通信部２０は、ＩＤカードに登録されたユーザーの認証情報、又はユーザーの生体情報を、入室情報として受信する。
【０１１９】
制御部２４は、入室情報と、特定ユーザー情報とに基づき、特定ユーザーが所定のエリア内に入室したか否かを判定する。制御部２４は、特定ユーザーが所定のエリア内に入室したと判定すると、第三管理対象の第一情報に基づき、第三管理対象の起動が必要であるか否かを判定する。実施形態１０において、第三管理対象は、管理対象１のうち、特定ユーザーが使用する頻度が高い対象である。
【０１２０】
通信部２０は、制御部２４が第三管理対象の起動が必要であると判定すると、第三管理対象に対し、第三管理対象を起動させる指令を送信する。
【０１２１】
続いて図１、図２及び図１９を参照して、管理装置３の制御部２４が実行する第二起動制御処理について説明する。図１９は、実施形態１０に係る第二起動制御処理を示すフローチャートである。
【０１２２】
特定のユーザーが所定のエリアに入室すると、第二起動制御処理が開始する。制御部２４は、第二起動制御処理が開始すると、第三管理対象の第一情報に基づいて、第三管理対象の起動が必要であるか否かを判定する（ステップＳ１９０）。具体的には、第三管理対象が起動していない場合に、制御部２４は、第三管理対象の起動が必要であると判定する。制御部２４が第三管理対象の起動が必要でないと判定すると（ステップＳ１９０のＮｏ）、第二起動制御処理が終了する。一方、制御部２４が第三管理対象の起動が必要であると判定すると（ステップＳ１９０のＹｅｓ）、通信部２０は、第三管理対象に対し、起動させる指令を送信する（ステップＳ１９２）。これにより、第三管理対象は、特定ユーザーが所定のエリアに入室すると、自動的に起動する。通信部２０が第三管理対象に対し、起動させる指令を送信すると、第二起動制御処理が終了する。
【０１２３】
以上から、実施形態１０に係る管理装置３は、特定のユーザーの行動に沿って第三管理対象を起動させるため、ユーザーは仕事を効率よく進めることができる。
【０１２４】
以上、本発明の実施形態について、図面（図１〜図１９）を参照しながら説明した。但し、本発明は、上記の実施形態に限られるものではなく、その要旨を逸脱しない範囲で種々の態様において実施することが可能である。また、上記の実施形態で示す構成は、一例であって特に限定されるものではなく、本発明の効果から実質的に逸脱しない範囲で種々の変更が可能である。
【０１２５】
例えば、本発明の実施形態では、第一在室者が所定の区画に進入する頻度を、ユーザーの行動軌跡に基づいて判定したが、ユーザーの行動軌跡を利用する方法以外の方法によって、第一在室者が所定の区画に進入する頻度が判定されてもよい。例えば、所定の区画の出入り口付近に、ＩＤカードリーダー又は生体情報リーダーを設置して、ＩＤカードリーダー又は生体情報リーダーから送信されるユーザーの識別情報又はユーザーの生体情報に基づいて、ユーザーが所定の区画に進入する頻度を算出してもよい。あるいは、所定の区画の出入り口付近にネットワークカメラを設置して、ネットワークカメラから送信される撮像信号に基づいて、ユーザーが所定の区画に進入する頻度を算出してもよい。
【産業上の利用可能性】
【０１２６】
本発明は、電気機器の分野に利用可能である。
【符号の説明】
【０１２７】
３        管理装置
２０      受信部
２２      記憶部
２４      制御部
２６      送信部
【図１】
2019036884.tif 000003
【図２】
2019036884.tif 000004
【図３】
2019036884.tif 000005
【図４】
2019036884.tif 000006
【図５】
2019036884.tif 000007
【図６】
2019036884.tif 000008
【図７】
2019036884.tif 000009
【図８】
2019036884.tif 000010
【図９】
2019036884.tif 000011
【図１０】
2019036884.tif 000012
【図１１】
2019036884.tif 000013
【図１２】
2019036884.tif 000014
【図１３】
2019036884.tif 000015
【図１４】
2019036884.tif 000016
【図１５】
2019036884.tif 000017
【図１６】
2019036884.tif 000018
【図１７】
2019036884.tif 000019
【図１８】
2019036884.tif 000020
【図１９】
2019036884.tif 000021